(57)【要約】【課題】  もっと安定で転がり防止効果に優れる止め輪がついているほぼ円柱体物品を提供しようとする。【解決手段】  左右２端２１，２２を有するほぼ円柱状の本体２と、本体２の一端２１に偏っているところに固定され、外周の全周にわたって設けられ、且つ、その周縁に少なくとも一つの切欠４２１が形成されている止め輪４とからなっていて切欠４２１と本体２の他端２２とで平面上に置くことができる止め輪付きのほぼ円柱体物品において、切欠４２１は、物品全体が前記平面に横たわった場合、その両側４２１２だけが前記平面とほぼ点接触することができる窪みとするようにした。【選択図】図３
2006180041.tif 000002
【特許請求の範囲】
【請求項１】
左右２端を有するほぼ円柱状の本体と、前記本体の一端に偏っているところに固定され、外周の全周にわたって設けられ、且つ、その周縁に少なくとも一つの切欠が形成されている止め輪とからなっていて、前記切欠と前記本体の他端とで平面上に置くことができる止め輪付きのほぼ円柱体物品において、
前記切欠は、物品全体が前記平面に横たわった場合、その両側だけが前記平面とほぼ点接触する窪みであることを特徴とする止め輪付きのほぼ円柱体物品。
【請求項２】
前記切欠は複数あり、前記止め輪の周縁に所定距離を空けて一連に配列形成されていることを特徴とする請求項１に記載の止め輪付きのほぼ円柱体物品。
【請求項３】
前記切欠は、窪んだ中間部から両側へ徐々に突出しながらほぼ点に収束してなったことを特徴とする請求項１または２に記載の止め輪付きのほぼ円柱体物品。
【請求項４】
前記止め輪付きのほぼ円柱体物品は、マイクロホンであることを特徴とする請求項１から３のいずれかに記載の止め輪付きのほぼ円柱体物品。
【請求項５】
前記止め輪を固定した一端を、集音部としたことを特徴とする請求項４に記載の止め輪付きのほぼ円柱体物品。
【請求項６】
前記本体の断面が、前記止め輪を固定した一端から他端へと徐々に縮小してなっていることを特徴とする請求項５に記載の止め輪付きのほぼ円柱体物品。
【発明の詳細な説明】
【技術分野】
【０００１】
本発明は、止め輪付きのほぼ円柱体物品に関し、もっと詳しくは正円柱体または円錐台気味や楕円気味などの変形円柱体の外形を有するものであって、その一端に偏っているところの外周に転がり防止効果のある止め輪がついている物品に関するものである。
【背景技術】
【０００２】
日常生活には、手の掴み心地をよくするために、外形を細長くする上、ほぼ円柱形とした物品が少なくない。たとえば、鉛筆、ボールペン、万年筆、指揮棒、マイクロホンなどはすべて正円柱体または円錐台気味や楕円気味などの変形円柱体の外形を呈している。しかしながら、如何なる物品としても、ほぼ円柱体の外形にされると、転がりがちになるため、これらの物品に、通常、図１と図２に示すマイクロホン１のように、その円錐台気味の変形円柱状本体１１の集音部１２とされた一端部に止め輪１３がついている。当該止め輪１３は、当該一端部に固定され、外周の全周にわたって設けられ、且つ、その周縁にいくつかの偏平な切欠１３１が形成されているので、その一つを前記本体１１の他端と合わせてマイクロホン１全体を平面上に転がらないように置くことができる上、マイクロホンの集音部１２を置かれた平面から少々持ち上げ、集音部１２を置かれた平面からの衝撃及び置かれた平面にある塵埃による汚染から保護することもできる。
【０００３】
しかし、このようなマイクロホン１は、偏平な切欠１３１により転がり防止効果をある程度実現することができるが、まだまだ安定でなく、理想とは言えない。
【発明の開示】
【発明が解決しようとする課題】
【０００４】
前記欠点に鑑みて、本発明は、もっと安定で転がり防止効果に優れる止め輪がついているほぼ円柱体物品を提供しようとすることを目的とする。
【課題を解決するための手段】
【０００５】
前記目的を達成するために、発明者は、研究に研究を重ねた結果、前記従来のほぼ円柱体物品についている止め輪にある切欠がいずれも偏平状であるため、それにかかる重力がほぼ均一に偏平面の全面に分散するので、前記平面からの反力が小さくて外力による転がりに対する抵抗が極めて小であるばかりでなく、転がりの軸点も転がりに従って偏平面に円滑的に移動しやすいことを発見した。それに基づいて、発明者は、左右２端を有するほぼ円柱状の本体と、前記本体の一端に固定され、外周の全周にわたって設けられ、且つ、その周縁に少なくとも一つの切欠が形成されている止め輪とからなっていて前記切欠と前記本体の他端とで平面上に置くことができる止め輪付きのほぼ円柱体物品において、前記切欠は、物品全体が前記平面に横たわった場合、その両側だけが前記平面とほぼ点接触する窪みであることを特徴とする止め輪付きのほぼ円柱体物品を提供する。
【発明の効果】
【０００６】
前記のような構造の止め輪付きのほぼ円柱体物品は、物品全体が平面に横たわった場合、前記平面に置かれた切欠がその両側だけで平面とほぼ点接触しているので、この切欠にかかっている重力が当該両側の２点だけに集中していてそれらによる反力が従来の偏平型より遥かに大であるばかりでなく、その転がりの軸点となれる２点もかなり遠くて軸点の移動が容易でなく、転がりにくくなる。従って、従来の偏平型より安定であって転がり防止効果が遥かに良い。
【発明を実施するための最良の形態】
【０００７】
以下、本発明に係る止め輪付きのほぼ円柱体物品の好適な実施形態を、図面を参照しつつ説明する。図３は、この好適な実施形態の一例としてのマイクロホンの斜視図である。図４は、図３を集音部の前方から見た図である。図３と図４に示すように、該マイクロホン１００は、左右２端２１，２２を有するほぼ円柱状の本体２と、集音部３とした前記本体２の一端２１に偏っているところに固定され、外周の全周にわたって設けられ、且つその周縁に複数の切欠４２１が形成されている止め輪４とからなっていて、当該複数の切欠４２１の一つと本体２の他端２２とで前記平面上に置くことができる止め輪付きのほぼ円柱体物品である。また、本体２は、正円柱体ではなく、円錐台気味の円柱台であり、その断面が、前記一端２１から他端２２へと徐々に縮小している。
【０００８】
なお、前記複数の切欠４２１は、いずれも図４に示すように、マイクロホン１００全体が前記平面に横たわってそれで平面と当接した場合、その両側４２１２，４２１２だけが前記平面とほぼ点接触する窪みになっていて、それにより、マイクロホン１００を安定に保持して転がりにくくさせることができる。切欠４２１をこのような窪みとしたのは、前記述べた理由に基づくものである。
【０００９】
さらに、切欠４２１としては、図示のように、窪んだ中間部４２１１から両側へ徐々に突出しながらほぼ点に収束してなったものが好ましいが、物品全体が平面に横たわった場合、その両側４２１２，４２１２だけが前記平面とほぼ点接触することができるものであれば、特に限定されず、たとえば実質的な偏平面の両側にそれぞれ一つの突出点が設けられてなったものも、中間部が両側の突出点より低いので、窪みと言え、適用することができる。それに、窪んだ中間部から両側へ徐々に突出しながらほぼ線に収束してなったものも、物品全体が平面に横たわった場合、切欠４２１が水平ではなく、斜めになっており、収束した線の本体２における前記一端２１より遠いほうの一端で平面と点接触しているので、切欠４２１の両側だけで平面とほぼ点接触することができるものであって、適用することができる。即ち、切欠４２１は、形状の如何に拘わらず、実質的に窪みになって最終的に２点だけで本体１００の他端２２と合わせてマイクロホン１００全体を平面上に転がらないように置くことができれば良い。
【００１０】
そして、図３と図４に示されている本実施形態は、切欠４２１が複数あって止め輪４の周縁に所定距離を空けて一連に配列形成されているものの、場合によっては、切欠４２１が一つだけあっても構わない。
【００１１】
以上の説明は単に本発明の好適な実施形態の一例としてのマイクロホンについて述べたが、本発明を限定するものではない。本発明の原理と目的において種々に変形や応用が可能である。
【産業上の利用可能性】
【００１２】
本発明は、日常生活に止め輪付きのほぼ円柱体物品に適用する。物品が転がったり落下したりすることによる破損を防止する効果が優れていて、物品の使用寿命を延長させることができる。
【図面の簡単な説明】
【００１３】
【図１】従来技術の一例としてのマイクロホンの斜視図。
【図２】図１を集音部の前方から見た図。
【図３】本発明の好適な実施形態の一例としてのマイクロホンの斜視図。
【図４】図３を集音部の前方から見た図。
【符号の説明】
【００１４】
２                    本体
３                    集音部
４                    止め輪
２１，２２            （本体の）両端
１００                マイクロホン
４２１                切欠
４２１１              中間部
４２１２，４２１２   （切欠の）両側
【図１】
2006180041.tif 000003
【図２】
2006180041.tif 000004
【図３】
2006180041.tif 000005
【図４】
2006180041.tif 000006